(57)【要約】【課題】介護者の負担を軽減することができる密封式便座装置を提供する。【解決手段】排泄物をフィルムに密封するフィルムユニット３０と、フィルムユニット３０を支持し、床面に載置可能な支持体４０と、支持体４０に支持されたフィルムユニット３０の上面を覆い、排泄物がフィルムユニット３０へと通過する開口５５ｃを有する便座５５と、便座５５の後部に上方向に延びるように設けられ、使用者が便座５５に座った状態において使用者の背中を支えることが可能な背面部５１ｂと、を備える。背面部５１ｂには、後側から便座５５へと貫通し、介護者の手を挿入可能な広さの開口５１ｇが設けられている。背面部５１ｂに開口５１ｇが設けられるため、介護者は、開口５１ｇから手を挿入して、便座５５に座る使用者を背後から介助することができる。よって、排泄時における介護者の負担を軽減することができる。【選択図】図１１
2015195880.tif 000002
【特許請求の範囲】
【請求項１】
排泄物をフィルムに密封するフィルムユニットと、
前記フィルムユニットを支持し、床面に載置可能な支持体と、
前記支持体に支持された前記フィルムユニットの上面を覆い、排泄物が前記フィルムユニットへと通過する第１の開口を有する便座部と、
前記便座部の後部に上方向に延びるように設けられ、使用者が前記便座部に座った状態において前記使用者の背中を支えることが可能な背面部と、を備え、
前記背面部には、後側から便座部へと貫通し、介護者の手を挿入可能な広さの第２の開口が設けられている、
ことを特徴とするフィルム密封式便座装置。
【請求項２】
請求項１に記載のフィルム密封式便座装置において、
前記第２の開口は、下端が前記座面部の上面の高さ付近に位置するように形成されている、
ことを特徴とするフィルム密封式便座装置。
【請求項３】
請求項２に記載のフィルム密封式便座装置において、
前記座面部の上面と前記背面部の前面との境界位置に、前記座面部の前記上面と前記背面部の前記前面とを円弧状に繋ぐ円弧部が設けられ、
前記第２の開口は、前記円弧部に掛かるように形成されている、
ことを特徴とするフィルム密封式便座装置。
【請求項４】
請求項１ないし３の何れか一項に記載のフィルム密封式便座装置において、
前記第２の開口は、枠部を残して大半の領域を占めるように、前記背面部に形成されている、
ことを特徴とするフィルム密封式便座装置。
【請求項５】
請求項１ないし４の何れか一項に記載のフィルム密封式便座装置において、
前記背面部に着脱可能で、前記背面部に装着された状態において前記第２の開口を覆う背もたれ部材を備える、
ことを特徴とするフィルム密封式便座装置。
【請求項６】
請求項５に記載のフィルム密封式便座装置において、
前記背もたれ部材には、前記背面部の上端に嵌り込む凹部が形成され、
前記背面部の前記上端は、前記凹部が嵌め込まれる際に凹部を案内可能に先細りの形状となっている、
ことを特徴とするフィルム密封式便座装置。
【請求項７】
請求項１ないし６の何れか一項に記載のフィルム密封式便座装置において、
前記第１の開口の前記背面部側の端縁を前記背面部側に後退させることにより前記第１の開口に延設された拡張部をさらに備える、
ことを特徴とするフィルム密封式便座装置。
【発明の詳細な説明】
【技術分野】
【０００１】
本発明は、樹脂製のフィルムにより収容物を密封するフィルム密封式便座装置に関する。
【背景技術】
【０００２】
従来、フィルム中に排泄物や汚物等を密封する密封式便座装置が知られている（たとえば、特許文献１）。この種の密封式便座装置では、排泄物や汚物等が通る通路にフィルムが配され、所定の送り機構によって、フィルムが下方に送られる。
【０００３】
排泄の際には、フィルム内に汚物が収容された状態で、フィルムの上部が溶着され、フィルム内に汚物が密封される。このとき、同時に、この溶着位置よりもやや上の位置でフィルムが溶着されて、フィルムに、次の汚物を収容するための底が形成される。また、これら２つの溶着位置の中間部分が切断されて、汚物を密封したフィルムが切り離される。
【先行技術文献】
【特許文献】
【０００４】
【特許文献１】特開２００７−１１７２８４号公報
【発明の概要】
【発明が解決しようとする課題】
【０００５】
上記構成の密封式便座装置では、排泄物をフィルムに密封する機構部が、椅子型の本体部に装着される構成が用いられ得る。この構成によれば、椅子に腰かける姿勢で排泄動作が可能であるため、排泄時における使用者の負担を軽減することができる。しかしながら、この構成では、介護者が使用者を介助する際に、椅子の背もたれが邪魔になって、介助者が使用者の背後から介助することが困難である。このため、上記のような構成では、介護者に負担が強いられることとなっていた。
【０００６】
上記課題に鑑み、本発明は、介護者の負担を軽減することができる密封式便座装置を提供することを目的とする。
【課題を解決するための手段】
【０００７】
本発明の主たる態様に係るフィルム密封式便座装置は、排泄物をフィルムに密封するフィルムユニットと、前記フィルムユニットを支持し、床面に載置可能な支持体と、前記支持体に支持された前記フィルムユニットの上面を覆い、排泄物が前記フィルムユニットへと通過する第１の開口を有する便座部と、前記便座部の後部に上方向に延びるように設けられ、使用者が前記便座部に座った状態において前記使用者の背中を支えることが可能な背面部と、を備える。ここで、前記背面部には、後側から便座部へと貫通し、介護者の手を挿入可能な広さの第２の開口が設けられている。
【０００８】
本態様に係るフィルム密封装置によれば、背面部に第２の開口が設けられるため、介護者は、第２の開口から手を挿入して、便座部に座る使用者を背後から介助することができる。よって、排泄時における介護者の負担を軽減することができる。
【０００９】
本態様に係るフィルム密封式便座装置において、前記第２の開口は、下端が前記座面部の上面の高さ付近に位置するように形成されるのが望ましい。こうすると、介護者は、座面部の上面付近の高さから手を第２の開口に挿入できるので、使用者の臀部付近に容易に手を差し伸べることができる。よって、介護者は、より円滑に使用者を介助することができる。
【００１０】
この場合、フィルム密封式便座装置には、前記座面部の上面と前記背面部の前面との境界位置に、前記座面部の前記上面と前記背面部の前記前面とを円弧状に繋ぐ円弧部が設けられ、前記第２の開口は、前記円弧部に掛かるように形成され得る。こうすると、第２の開口から座面部上面へと手を挿入する際に、円弧部に沿って手を進め易くなる。よって、介護者は、より円滑に使用者を介助することができる。
【００１１】
本態様に係るフィルム密封式便座装置において、前記第２の開口は、枠部を残して大半の領域を占めるように、前記背面部に形成され得る。こうすると、介護者は、介助の際に、手を容易に動かすことができ、また、適宜両手を使えるため、より円滑に使用者を介助することができる。
【００１２】
本態様に係るフィルム密封式便座装置は、前記背面部に着脱可能で、前記背面部に装着された状態において前記第２の開口を覆う背もたれ部材を備える構成とされ得る。こうすると、未だ介助がなされない状態では、背もたれ部材を背面部に装着することにより、使用者は、背もたれ部材に寄りかかることができ、フィルム密封式便座装置を使用する際の快適性を高めることができる。また、非使用時には、背もたれ部材を背面部に装着することにより、第２の開口を隠すことができ、フィルム密封式便座装置の美観を高めることができる。
【００１３】
この場合、前記背もたれ部材には、前記背面部の上端に嵌り込む凹部が形成され、
前記背面部の前記上端は、前記凹部が嵌め込まれる際に凹部を案内可能に先細りの形状となるよう構成され得る。こうすると、背面部に対して背もたれ部材を容易に装着することができる。
【００１４】
本態様に係るフィルム密封式便座装置は、前記第１の開口の前記背面部側の端縁を前記背面部側に後退させることにより前記第１の開口に延設された拡張部をさらに備える構成とされ得る。こうすると、介護者は、第２の開口から拡張部を介して第１の開口内に容易に手を入れることができる。よって、使用者の尻を拭く等の作業を、より円滑に行うことができる。
【発明の効果】
【００１５】
以上のとおり、本発明によれば、介護者の負担を軽減することができる密封式便座装置を提供することができる。
【００１６】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態により何ら制限されるものではない。
【図面の簡単な説明】
【００１７】
【図１】実施の形態に係る構成体と、フィルム収容ガイドと、枠の構成を示す斜視図である。
【図２】実施の形態に係るフィルムユニットの構成を示す斜視図、フィルムの外観を示す模式図、および、フィルムユニットにセットされたフィルムを示す模式図である。
【図３】実施の形態に係るフィルムユニットが設置される支持体の構成を示す斜視図である。
【図４】実施の形態に係る座面枠と、背もたれと、ひじ掛けの構成を示す斜視図である。
【図５】実施の形態に係る座面枠を前方から見た平面図、および座面枠を後方から見た平面図である。
【図６】実施の形態に係る構成体と便座の構成を示す斜視図である。
【図７】実施の形態に係る便座の構成を示す上面図および斜視図である。
【図８】実施の形態に係る構成体とカバーの構成を示す斜視図である。
【図９】実施の形態に係る組み立てが終了した便座装置の構成を示す斜視図である。
【図１０】実施の形態に係る排泄時の構成体を示す斜視図である。
【図１１】実施の形態に係る排泄時の構成体を示す断面図である。
【図１２】実施の形態に係るフィルム送り機構とシール機構の構成を示す斜視図である。
【図１３】実施の形態に係る排泄処理時におけるフィルムユニットの動作を説明する図である。
【図１４】実施の形態に係る排泄処理時におけるフィルムユニットの動作を説明する図である。
【発明を実施するための形態】
【００１８】
以下、本発明の実施の形態につき図面を参照して説明する。
【００１９】
以下に示す実施の形態において、便座装置１は、請求項に記載の「フィルム密封式便座装置」に相当する。座面枠５１の水平部５１ａと便座５５は、請求項に記載の「便座部」に相当する。座面枠５１の背面部５１ｂは、請求項に記載の「背面部」に相当する。開口５５ｃは、請求項に記載の「第１の開口」に相当する。開口５１ｇは、請求項に記載の「第２の開口」に相当する。背もたれ５２は、請求項に記載の「背もたれ部材」に相当する。ただし、上記請求項と本実施の形態との対応の記載は、あくまで一例であって、請求項に係る発明を本実施の形態に限定するものではない。
【００２０】
まず、図１〜図９を参照して、本実施の形態に係る便座装置１の構成を組み立て手順に沿って説明する。便座装置１は、主に、介護施設の個室や災害時等、トイレ設備のない場所で用いられ、排泄物を樹脂製の筒状フィルムで密封（シール）することが可能な機構を有する。なお、本実施の形態の説明において参照する図面には、便宜上、互いに直交するＸ、Ｙ、Ｚ軸が示されている。Ｘ−Ｙ平面は、水平面に平行で、Ｚ軸方向は鉛直方向である。
【００２１】
図１は、メカ構成体１０と、フィルム収容ガイド２１と、枠２２の構成を示す斜視図である。
【００２２】
メカ構成体１０は、ベース１１と、機構部１２と、ガイド１３を備えている。ベース１１には、水平面に平行な上面１１ａと、ベース１１を上下方向に貫通する開口１１ｂが設けられている。機構部１２は、ベース１１の下面側に設置されており、ベース１１に設置された回路基板（図示せず）と接続されている。ガイド１３は、上面が水平面に対して傾いた状態となるよう、ベース１１の下面側に設置されている。なお、機構部１２は、フィルム送り機構１００とシール機構２００を備えている。フィルム送り機構１００とシール機構２００の構成については、追って、図１１を参照して説明する。
【００２３】
フィルム収容ガイド２１は、平面視において、略楕円の形状を有する。フィルム収容ガイド２１には、略楕円形状の開口２１ａが形成されており、フィルム収容ガイド２１の内壁には、２つの孔２１ｂが形成されている。枠２２は、平面視において、略楕円の形状を有する。枠２２には、略楕円形状の開口２２ａが形成されており、上面部２２ｂの裏側には、下側に延びる２つの板部２２ｃが形成されている。
【００２４】
組み立て時には、まず、ベース１１の上面１１ａに、フィルム収容ガイド２１が設置される。続いて、枠２２の板部２２ｃがフィルム収容ガイド２１の孔２１ｂに嵌め込まれることにより、枠２２がフィルム収容ガイド２１に装着される。こうして、図２（ａ）に示すフィルムユニット３０が完成する。フィルムユニット３０は、フィルムユニット３０にセットされたフィルムＦを密封（シール）する機能を有する。
【００２５】
図２（ｂ）、（ｃ）は、それぞれ、フィルムＦの外観を示す模式図と、フィルムユニット３０にセットされたフィルムＦを示す模式図である。
【００２６】
フィルムＦは、樹脂製の筒状フィルムであり、筒形状の外周方向に予め折り畳まれている。フィルムユニット３０にフィルムＦがセットされる場合、枠２２がフィルム収容ガイド２１から取り外され、フィルムＦが、フィルム収容ガイド２１に上方から嵌め込まれる。その後、枠２２がフィルム収容ガイド２１に装着され、フィルムＦが枠２２の下側に位置付けられる。そして、フィルムＦの端部が上方向に引き出され、枠２２の開口２２ａとフィルム収容ガイド２１の開口２１ａに対して、下方向に通される。その後、開口２１ａ、２２ａに通されたフィルムＦの端部が、さらに、ベース１１の開口１１ｂに挿入され、機構部１２に取り付けられる。こうして、図２（ｃ）に示すように、フィルムユニット３０にフィルムＦがセットされる。
【００２７】
なお、実使用時には、図８に示すように便座装置１が組み立てられた後に、フィルムＦのセットが行われる。すなわち、便座装置１からカバー５６と便座５５が外された状態（図６参照）で、開口５１ｄから露出するフィルムユニット３０に対して、上記のように、フィルムＦがセットされる。
【００２８】
図３は、フィルムユニット３０が設置される支持体４０の構成を示す斜視図である。
【００２９】
支持体４０は、４本の脚を有する。また、支持体４０には、凹部４０ａが形成されており、凹部４０ａの底面には、凹部４０ａを上下方向に貫通する開口４０ｂが形成されている。また、支持体４０のＸ軸正側とＸ軸負側には、それぞれ、２つの孔４０ｃと、２つの孔４０ｄが形成されている。また、支持体４０の前面（Ｘ軸正側）には、フィルムユニット３０を動作させるためのスイッチ４１が設置されている。
【００３０】
組み立て時には、フィルムユニット３０が凹部４０ａに嵌め込まれるように、フィルムユニット３０が支持体４０に設置される。そして、スイッチ４１が、フィルムユニット３０の回路基板と接続される。
【００３１】
図４（ａ）は、座面枠５１の構成を示す斜視図であり、図４（ｂ）、（ｃ）は、背もたれ５２の構成を示す斜視図であり、図４（ｄ）、（ｅ）は、それぞれ、ひじ掛け５３、５４の構成を示す斜視図である。
【００３２】
図４（ａ）を参照して、座面枠５１は、水平面に平行な水平部５１ａと、Ｘ―Ｙ平面に略垂直な背面部５１ｂを有している。背面部５１ｂの上端は、角が面取りされており、丸みを帯びた形状を有している。また、背面部５１ｂの上端の裏面は、背面部５１ｂの背面から上部がＹ軸負側に傾くように傾斜している。こうして、背面部５１ｂの上部は、先細りの形状となっている。
【００３３】
水平部５１ａには、水平部５１ａの上面よりも一段低い凹部５１ｃが形成されており、凹部５１ｃには、水平部５１ａを上下方向に貫通する略楕円形状の開口５１ｄが形成されている。また、水平部５１ａの上面には、円形の凹部５１ｅが２つ形成されている。また、凹部５１ｃの上面には、略円形に窪んだ係合部５１ｆが２つ形成されている。背面部５１ｂには、背面部５１ｂをＹ軸方向に貫通する開口５１ｇが形成されている。
【００３４】
図５（ａ）は、座面枠５１の前方から見た平面図、図５（ｂ）は、座面枠５１を後方から見た平面図である。
【００３５】
図５（ａ）に示すように、開口５１ｇは、横長の略長方形の輪郭を有し、枠部を残して大半の領域を占めるように、背面部５１ｂに形成されている。前方から見て、開口５１ｇの下端は、水平部５１ａの上面の高さ付近に位置付けられている。水平部５１ａと背面部５１ｂとの境界には、Ｘ軸方向に見て略円弧形状の円弧部Ｒが形成されている。開口５１ｇは、円弧部Ｒに掛かるように形成されている。開口５１ｇの前側（Ｙ軸負側）の上端は、開口５１ｇの後側（Ｙ軸正側）の上端よりも上方（Ｚ軸正側）に位置付けられている。また、図５（ｂ）に示すように、開口５１ｇの後側（Ｙ軸正側）の下端は、開口５１ｇの前側（Ｙ軸負側）の下端よりもさらに下方（Ｚ軸負側）に位置付けられている。
【００３６】
図４（ｂ）を参照して、背もたれ５２は、クッション性のある材質で形成されている。背もたれ５２は、座面枠５１の開口５１ｇよりも大きい。背もたれ５２には、鍔部５２ａが形成されている。鍔部５２ａの下面には、図４（ｃ）に示すように、背面部５１ｂの上端が嵌り込む凹部５２ｂが形成されている。背面部５１ｂの上端を凹部５２ｂに嵌め込むようにして、背もたれ５２を背面部５１ｂに掛ける。上記のように背面部５１ｂの上端は、角の面取りと背面の傾斜とによって先細りとなっているため、背面部５１ｂの上端を凹部５２ｂに嵌め込む際に、凹部５２ｂが正規の位置に収まるように案内される。こうして背もたれ５２が背面部５１ｂに掛けられると、背もたれ５２は、背もたれ５２の自重と、凹部５２ｂと背面部５１ｂとの係合によって、Ｘ軸方向およびＹ軸方向の移動が規制される。すなわち、凹部５２ｂのＸ軸方向とＹ軸方向の幅は、背もたれ５２が背面部５１ｂに掛けられた状態において、凹部５２ｂと背面部５１ｂが略隙間なく係合するように設定されている。
【００３７】
凹部５２ｂの形状は、たとえば、背面部５１ｂの上端の形状を同じとされる。あるいは、凹部５２ｂの形状は、背もたれ５２の背面に平行な２つの壁（平行壁）、背もたれ５２の背面に垂直な２つの壁（垂直壁）および背もたれ５２の背面に垂直な底を有する形状とされる。この場合、凹部５２ｂの底が背面部５１ｂの上端の直線部分に当接することにより、Ｘ−Ｚ平面における背もたれ５２のがたつきが抑制される。また、凹部５２ｂの２つの平行壁が背面部５１ｂ上端の前面および背面と当接または僅かな隙間をもって対向することにより、Ｙ軸方向における背もたれ５２のがたつきが抑制される。さらに、凹部５２ｂの２つの垂直壁が背面部５１ｂ上端の左右の側面と当接または僅かな隙間をもって対向することにより、Ｘ軸方向における背もたれ５２のがたつきが抑制される。
【００３８】
背もたれ５２の下端は、座面枠５１の円弧部Ｒに沿うように、Ｘ軸方向に見て円弧形状となっている。上記のようにして背もたれ５２が背面部５１ｂに取り付けられると、背面部５１ｂの前面が背もたれ５２によって全て覆われる。このように、背もたれ５２は、背面部５１ｂの前面を全て覆う広さとなっている。
【００３９】
図４（ｄ）を参照して、ひじ掛け５３は、平板５３ａと２本の軸５３ｂを有している。軸５３ｂは、平板５３ａの下面に設置されており、平板５３ａの下面から下方向に突出している。平板５３ａのＸ軸正側とＸ軸負側の面の上部には、それぞれ、Ｙ軸方向に見て円弧形状の凹部５３ｃが形成されている。図４（ｅ）を参照して、ひじ掛け５４は、ひじ掛け５３と同様の構成となっており、平板５４ａと、２本の軸５４ｂと、凹部５４ｃを有している。
【００４０】
組み立て時には、図３に示すようにフィルムユニット３０が支持体４０に嵌め込まれた後、座面枠５１が支持体４０の上部に設置される。続いて、座面枠５１の背面部５１ｂの上端に鍔部５２ａが掛けられることにより、背もたれ５２が座面枠５１に設置される。そして、支持体４０の孔４０ｃに軸５３ｂが通されることにより、ひじ掛け５３が支持体４０に設置され、支持体４０の孔４０ｄに軸５４ｂが通されることにより、ひじ掛け５４が支持体４０に設置される。こうして、図６に示す構成体６０が完成する。
【００４１】
図６は、構成体６０と便座５５の構成を示す斜視図である。なお、図６では、便宜上、フィルムユニット３０の図示が省略されている。
【００４２】
図６を参照して、この状態で背もたれ５２は、ひじ掛け５３、５４に挟まれており、Ｘ軸方向の移動が抑制されている。また、背もたれ５２の凹部５２ｂは、背面部５１ｂの上端に嵌り込んでいるため、前側に倒れ込むことが抑制されている。このように、背もたれ５２は、Ｚ軸方向に容易に取り外し可能であり、且つ、Ｘ軸方向、およびＹ軸方向に移動しないように便座装置１に装着されている。
【００４３】
図７（ａ）は、便座５５の構成を示す上面図、図７（ｂ）は、便座５５のＺ軸負側の構成を示す斜視図である。
【００４４】
図７（ａ）を参照して、便座５５は、水平面に平行な水平部５５ａを有し、水平部５５ａのＹ軸負側の端部に、下方向に延びる鍔部５５ｂが形成されている。水平部５５ａには、略中央に便座５５を上下方向に貫通する開口５５ｃが形成されている。開口５５ｃは、Ｙ軸負側が狭く、Ｙ軸正側に向かうに従って広がった略涙型の形状を有する。開口５５ｃのＹ軸負側の端部には、Ｙ軸正側に後退した拡張部５５ｄが延設されている。拡張部５５ｄのＸ軸方向の幅ｗ１は、開口５５ｃのＸ軸方向の幅ｗ２よりも狭くなっている。水平部５５ａと開口５５ｃ、拡張部５５ｄの間には、傾斜部５５ｅが形成されており、開口５５ｃと拡張部５５ｄは、水平部５５ａよりもＺ軸負側に位置している。便座５５のＺ軸負側の面の、Ｙ軸正側の隅には、それぞれ、座面枠５１の係合部５１ｆ（図４（ａ）参照）と係合する凸部５５ｆが形成されている。
【００４５】
図６に戻り、組み立て時には、座面枠５１の凹部５１ｃに対して便座５５が嵌め込まれるように、便座５５が座面枠５１に設置される。これにより、座面枠５１の係合部５１ｆに便座５５の凸部５５ｆ（図７（ｂ）参照）が係合し、便座５５のＹ軸方向へのずれが抑制される。こうして、図８に示す構成体７０が完成する。
【００４６】
図８は、構成体７０とカバー５６の構成を示す斜視図である。なお、図６では、便宜上、フィルムユニット３０の図示が省略されている。
【００４７】
カバー５６は、クッション性のある材質で形成されている。カバー５６の前方には、下方向に延びた鍔部５６ａが形成されている。また、カバー５６の裏面には、座面枠５１の２つの凹部５１ｅ（図４（ａ）参照）に対応する位置に、それぞれ、円形の突起（図示せず）が形成されている。組み立て時には、カバー５６の裏面に形成された突起（図示せず）を座面枠５１の凹部５１ｅに嵌め込むようにして、座面枠５１の水平部５１ａと便座５５に対してカバー５６が載置される。カバー５６裏面の突起（図示せず）が座面枠５１の凹部５１ｅに嵌り込むことにより、カバー５６のＹ軸方向のずれが抑制される。こうして、図９に示す便座装置１が完成し、便座装置１の組み立てが終了となる。
【００４８】
図９は、組み立てが終了した便座装置１の構成を示す斜視図である。
【００４９】
図９に示す便座装置１では、便座５５の上にカバー５６が載置されているため、使用者がカバー５６の上面に着座して、図９に示す便座装置１を椅子として使用することも可能である。このとき、スイッチ４１（図８参照）が、カバー５６の鍔部５６ａにより覆われているため、使用者が誤ってスイッチ４１に接触することにより、フィルムユニット３０が誤動作することが防止される。
【００５０】
使用者が排泄を行う場合、使用者または作業者によりカバー５６が取り外され、図７に示す便座装置１が、図８に示す構成体７０とされる。この状態で、使用者が便座５５の上に着座し排泄を行う。このように、排泄時には、座面枠５１の開口５１ｇ（図４（ａ）参照）は、背もたれ５２によって覆われるため、着座時に使用者の座り心地が損なわれることを防ぐことができる。また、開口５１ｇを介して使用者の臀部が背後から見えないため、使用者は安心して排泄を行うことができる。排泄の後、便座装置１の使用者の介護が必要である場合、背もたれ５２が取り外され、図１０に示す構成体８０とされる。
【００５１】
図１０は、構成体８０の構成を示す斜視図である。なお、図１０では、便宜上、フィルムユニット３０の図示が省略されている。
【００５２】
図１０に示すように、背もたれ５２が取り外されることにより、介護者は、座面枠５１の開口５１ｇを介して便座装置１の後方から便座５５の開口５５ｃ付近まで手を伸ばすことができる。開口５１ｇは、背面部５１ｂの中央より下部側（Ｚ軸負側）の領域を含む大きな面積を有するため、介護者は、便座５５の開口５５ｃに近い位置から容易に手を延ばすことができる。
【００５３】
図１１は、構成体８０のＸ軸方向の中央位置におけるＹ−Ｚ平面の断面図である。図１１には、便座５５に着座した状態の使用者が一点鎖線で模式的に示されている。
【００５４】
図１１を参照して、便座５５の開口５５ｃの後方の端部は、Ｙ軸正側に後退した拡張部５５ｄとなっているため、使用者が便座５５に着座した状態で、使用者の臀部の後ろ側には、大きな隙間が生じる。この隙間によって、使用者の背後から開口５５ｃ内へと手を挿し込むための経路が生じる。これにより、介護者は、使用者が便座５５に着座した状態のまま、この経路を介して使用者の臀部を拭うことができる。
【００５５】
また、図７（ａ）に示すように、拡張部５５ｄのＸ軸方向の幅ｗ１は、開口５５ｃの幅ｗ２よりも狭くなっているため、使用者が便座５５に着座したときに、臀部が拡張部５５ｄに掛かったとしても、臀部が開口５５ｃ内に大きく沈みこむことがない。したがって、使用者の騎乗性を損なうことなく、開口５５ｃ内に手を挿し込むためのスペースを確保することができる。
【００５６】
排泄の後、スイッチ４１が押されると、フィルムユニット３０が作動し、後述のように、排泄物を収容したフィルムＦに対してシーリングが行われる。
【００５７】
次に、図１２〜図１４（ｂ）を参照して、フィルムユニット３０のフィルム送り機構１００とシール機構２００の構成について説明する。
【００５８】
図１２は、フィルム送り機構１００とシール機構２００の構成を示す斜視図である。
【００５９】
図１２を参照して、フィルム送り機構１００は、モータ１０１と、シャフト１０２と、４つのローラ１０３と、多数のギアを含む機構部を備えている。また、シール機構２００は、モータ２０１と、シャフト２０２と、２つのシャフト２１１と、２つのバネ２１２と、加熱機構２２０と、圧着機構２３０と、引き剥がし機構２４０と、多数のギアを含む機構部を備えている。
【００６０】
モータ１０１の駆動力は、多数のギアを介して、Ｘ軸負側の２つのローラ１０３に伝えられる。これら２つのローラ１０３は、互いに接する部分が共に下方向に向かうように回転される。すなわち、２つのローラ１０３は、回転方向が互いに反対となるように駆動される。また、モータ１０１の駆動力は、シャフト１０２と多数のギアを介して、Ｘ軸正側の２つのローラ１０３に伝えられる。したがって、モータ１０１が駆動されると、Ｘ軸正側の２つのローラ１０３も駆動される。なお、Ｘ軸正側の２つのローラ１０３の構成は、Ｘ軸負側の２つのローラ１０３の構成と同様である。
【００６１】
互いに接する２つのローラ１０３の間には、フィルムＦの端縁が挟み込まれる。したがって、モータ１０１の駆動力によってローラ１０３が回転されると、Ｘ軸正側の２つのローラ１０３とＸ軸負側の２つのローラ１０３により、フィルムＦが下方向（Ｚ軸負方向）に送られる。
【００６２】
モータ２０１の駆動力は、シャフト２０２と多数のギアを介して、圧着機構２３０のラック２３１ａに伝えられる。ラック２３１ａは、圧着機構２３０のベース２３１に設けられ、ベース２３１は、２つのシャフト２１１によってＹ軸方向に移動可能に支持されている。したがって、モータ２０１が駆動されると、ベース２３１がＹ軸方向に移動される。ベース２３１には、圧着部２３２（図１３（ａ）参照）が設けられている。圧着部２３２は、加熱機構２２０のヒータ２２１（図１３（ａ）参照）と対向し、その表面にフィルムＦを切断するための突条部２３２ａ（図１３（ａ）参照）を備えている（図示せず）。圧着部２３２は、弾性を有し、熱耐性の高い材料から構成されている。突条部２３２ａは、圧着部２３２よりも硬く、Ｘ軸方向に延びるように設けられている。
【００６３】
加熱機構２２０は、ヒータ２２１（図１３（ａ）参照）を備える。ヒータ２２１（図１３（ａ）参照）は、結晶化ガラス等の基材の上に、平面視において蛇行形状の発熱部が設けられた構成となっている。ヒータ２２１（図１３（ａ）参照）の発熱部は、電流を印加することにより発熱し、フィルムＦの下底を形成するための熱圧着と、フィルムＦの切断と、フィルムＦの上部を密封するための熱圧着に用いられる。ヒータ２２１（図１３（ａ）参照）のＹ軸負側の面には、後述するフィルムＦの溶着と切断時にフィルムＦが剥がれ易くなるよう、フッ素加工が施されたテープが貼付される。
【００６４】
引き剥がし機構２４０は、ベース２４１と、ベース２４１のＹ軸負側の面に設置されたゴム２４２（図１３（ａ）参照）とを備えている。ベース２４１は、シャフト２１１によってＹ軸方向に移動可能に支持されている。ベース２４１は、バネ２１２によってＹ軸負方向に付勢され、ストッパー（図示せず）によってＹ軸負側の面が規制されている。したがって、ベース２４１は、バネ２１２の付勢に抗して、所定の範囲だけ、Ｙ軸方向に移動可能である。図１２には、Ｘ軸負側のバネ２１２付近の構成のみが示されているが、Ｘ軸正側のバネ２１２付近の構成もＸ軸負側のバネ２１２付近の構成と同様である。
【００６５】
引き剥がし機構２４０のベース２４１には、Ｙ軸方向に貫通する開口が形成されている。加熱機構２２０のヒータ２２１（図１３（ａ）参照）は、ベース２４１の開口を介して、Ｙ軸負側が開放された状態となっている。これにより、圧着機構２３０がＹ軸正方向に移動されたとき、圧着機構２３０の圧着部２３２（図１３（ａ）参照）と加熱機構２２０のヒータ２２１（図１３（ａ）参照）が当接するようになる。
【００６６】
引き剥がし機構２４０のベース２４１には、ヒータ２２１に対して上側および下側の位置に、それぞれ、Ｙ軸負方向に突出するＵ字状の羽根部２４１ａが形成されている。羽根部２４１ａは、圧着機構２３０のベース２３１がＹ軸負方向に送られることにより、２組のローラ１０３により送られたフィルムＦを束ねてＸ軸方向の広がりを抑制するためのものである。
【００６７】
図１３（ａ）〜図１４（ｂ）は、排泄処理時におけるフィルムユニット３０の動作を説明する図である。図１３（ａ）〜図１４（ｂ）は、フィルムユニット３０をＹ−Ｚ平面に平行な面で切断した断面図である。破線は、Ｘ軸正側の２つのローラ１０３に挟まれた状態のフィルムＦを示している。
【００６８】
図１３（ａ）に示すように、シール動作前の状態では、フィルムＦは、２組のローラ１０３に挟まれており、フィルムＦの底は、ヒータ２２１周辺の高さの位置に位置付けられている。なお、フィルムＦの底は、初期セットアップ時または前回のシール動作時において、密着されている。この状態で、排泄物等がフィルムＦに収容される。
【００６９】
排泄物等がフィルムＦに収容され、その後、シール動作が開始されると、モータ１０１（図１２参照）が駆動され、２組のローラ１０３によりフィルムＦが下方向（Ｚ軸負方向）に送られる。これにより、図１３（ｂ）に示す状態となる。なお、シール動作は、たとえば、排泄後に作業者または使用者がスイッチ４１を介して排泄終了の指示を入力することにより開始される。
【００７０】
ローラ１０３によりフィルムＦが下方向に送られた後、モータ２０１（図１２参照）が駆動され、圧着機構２３０がＹ軸正方向に送られる。これにより、フィルムＦは、引き剥がし機構２４０の羽根部２４１ａによりＸ軸方向の広がりが抑制されながら、Ｙ軸正方向に寄せられる。さらに、圧着部２３２がＹ軸正方向に送られると、圧着部２３２はフィルムＦを介してゴム２４２に当接し、シャフト２１１に配されたバネ２１２の付勢に抗して、引き剥がし機構２４０をＹ軸正方向に押し出す。そして、さらに圧着部２３２がＹ軸正方向に送られると、図１４（ａ）に示すように、圧着部２３２とヒータ２２１が、フィルムＦを介して密着する。
【００７１】
この状態で、ヒータ２２１が駆動され、フィルムＦが溶融される。このとき、ヒータ２２１の上側領域の熱により、次に排泄物等を収容するためのフィルムＦの下底が形成され、ヒータ２２１の下側領域の熱により、排泄物等が収容されたフィルムＦの上部が密封される。さらに、ヒータ２２１の中央部分、すなわち、圧着部２３２の突条部２３２ａによってフィルムＦが押し付けられる部分の熱により、フィルムＦが切断される。
【００７２】
フィルムＦの密封と切断が完了すると、圧着機構２３０がＹ軸負方向に戻される。これにより、圧着部２３２がヒータ２２１とゴム２４２から離れ、引き剥がし機構２４０が、シャフト２１１に配されたバネ２１２により所定幅だけＹ軸負方向に送られる。このとき、圧着部２３２とヒータ２２１により密着されたフィルムＦは、引き剥がし機構２４０により、ヒータ２２１の位置から所定幅だけＹ軸負側に寄せられる。これにより、ヒータ２２１にフィルムＦが貼り付いているような場合でも、フィルムＦがヒータ２２１から引き剥がされる。また、このとき、ローラ１０３によりフィルムＦが上方向に僅かに送られるため、さらに確実にフィルムＦがヒータ２２１から引き剥がされる。こうして、図１４（ｂ）に示すように、密封されたフィルムＦは支持体４０の開口４０ｂ（図３参照）を通って落下する。
【００７３】
排泄処理時の動作が完了すると、フィルムユニット３０は、図１３（ａ）に示す状態に戻る。なお、密封されたフィルムＦが落下する位置に、密封されたフィルムＦを回収するための箱等を設置することにより、作業者は容易に密封されたフィルムＦを回収することができる。
【００７４】
＜実施の形態の効果＞
本実施の形態によれば、以下の効果が奏され得る。
【００７５】
座面枠５１の背面部５１ｂに開口５１ｇが設けられているため、介護者は、便座装置１の後方から開口５１ｇに手を入れて、便座装置１の使用者を、容易に介助することができる。
【００７６】
また、開口５１ｇの下端が便座５５の上面付近に位置付けられるため、介護者は、便座５５の上面付近の高さから開口５１ｇに手を入れることができる。このため、介助者は、使用者の臀部付近に容易に手を差し伸べることができ、より円滑に使用者を介助することができる。
【００７７】
また、水平部５１ａと背面部５１ｂの境界付近に円弧部Ｒが設けられているため、介護者は、開口５１ｇから便座５５上面へと手を挿入する際に、円弧部Ｒに沿って手を進め易い。よって、介護者は、より円滑に使用者を介助することができる。
【００７８】
また、開口５１ｇは、枠部を残して大半の領域を占めるように、背面部５１ｂに形成されている。このように、開口５１ｇは、広い領域をもって背面部５１ｂに形成されているため、介護者は、開口５１ｇに挿入した手を容易に動かすことができ、また、適宜、開口５１ｇに両手を入れて、使用者を両手で介助することができる。よって、より円滑に使用者を介助することができる。
【００７９】
また、背もたれ５２が背面部５１ｂに着脱可能に装着されるため、未だ介助がなされない状態では、背もたれ５２を背面部５１ｂに装着しておくことにより、使用者は、背もたれ５２に寄りかかることができ、便座装置１を使用する際の快適性を高めることができる。また、非使用時には、背もたれ５２を背面部５１ｂに装着することにより、開口５１ｇを隠すことができ、便座装置１の美観を高めることができる。
【００８０】
また、背もたれ５２は、凹部５２ｂ（図４（ｃ）参照）が背面部５１ｂの上端に嵌り込むようにして設置されるため、容易に背もたれ５２を取り外すことができる。さらに、座面枠５１の背面部５１ｂから背もたれ５２が前側に倒れ込むことを防ぐことができる。
【００８１】
また、背面部５１ｂの上端が、凹部５２ｂが嵌め込まれる際に凹部５２ｂを案内可能に先細りの形状となっているため、背面部５１ｂに対して背もたれ５２を容易に装着することができる。
【００８２】
また、便座５５の開口５５ｃの後方の端部は、Ｙ軸正側に後退した拡張部５５ｄとなっているため、使用者が便座５５に着座した状態のまま、介護者は、使用者の臀部を容易に拭うことができる。
【００８３】
また、図７（ａ）に示すように、拡張部５５ｄのＸ軸方向の幅ｗ１は、開口５５ｃの幅ｗ２よりも狭くなっているため、使用者が便座５５に着座したときに、使用者の臀部が拡張部５５ｄに掛かったとしても、臀部が開口５５ｃ内に大きく沈みこむことがない。よって、使用者の騎乗性を損なうことなく、開口５５ｃ内に手を挿し込むためのスペースを確保することができる。
【００８４】
＜変更例＞
以上、本発明の実施の形態について説明したが、本発明は、上記実施の形態に何ら制限されるものではなく、本発明の構成例も他に種々の変更が可能である。
【００８５】
たとえば、上記実施の形態では、座面枠５１の開口５１ｇは、図５（ａ）、（ｂ）に示すように略長方形の輪郭を有したが、開口５１ｇの形状はこれに限られない。たとえば、開口５１ｇは、略円形や略楕円形の形状を有していても良いし、方形以外の多角形の形状を有していても良い。さらに、開口５１ｇの大きさ、位置および数は、適宜変更され得る。
【００８６】
また、上記実施の形態では、便座５５の開口５５ｃは、Ｙ軸負側が狭く、Ｙ軸正側に向かうに従って広がった略涙型形状を有したが、開口５５ｃの形状はこれに限られない。たとえば、開口５５ｃは、略円形または略楕円形の形状を有していても良いし、多角形の形状を有しても良い。さらに、開口５５ｃの大きさ、位置は、適宜変更され得る。
【００８７】
また、上記実施の形態では、拡張部５５ｄのＸ軸方向の幅ｗ１は、開口５５ｃの幅ｗ２よりも狭くなるよう構成されたが、拡張部５５ｄのＸ軸方向の幅ｗ１はこれに限られない。少なくとも、開口５５ｃの後側（Ｙ軸正側）が絞られるように拡張部５５ｄが形成されれば、使用者が便座５５に着座したときに、臀部が開口５５ｃ内に大きく沈みこむことを抑制することができる。また、拡張部５５ｄのＹ軸方向の幅も適宜変更され得る。
【００８８】
また、上記実施の形態では、水平部５１ａと背面部５１ｂが座面枠５１に一体的に設けられたが、これらが別体であっても良く、たとえば、背面部５１ｂを構成する部材が、支持体４０に取り付けられても良く、支持体４０に一体的に設けられても良い。
【００８９】
また、上記実施の形態では、便座５５が座面枠５１の水平部５１ａに装着されることにより座面部が構成されたが、座面部の構成形態はこれに限られない。たとえば、予め、座面枠５１に便座５５が一体的に設けられていても良い。
【００９０】
また、上記実施の形態では、背面部５１ｂに背もたれ５２が着脱可能に装着されたが、背もたれ５２が省略されても良い。この場合、少なくとも背面部５１ｂの前面は、クッション性に富んだ材料で覆うことが望ましい。ただし、この構成では、開口５１ｇが常に外部に露出するため、使用時に、使用者の臀部が開口５１ｇを介して外部に露出し、これにより、使用者の安心感を損ねることが危惧される。また、開口５１ｇが常に露出することで、便座装置１の美観が低下することも想定され得る。これらの問題を考慮すると、上記実施の形態のように、背面部５１ｂに背もたれ５２が着脱可能に装着されることが望ましい。
【００９１】
また、上記実施の形態では、Ｘ―Ｙ平面（水平面）に略垂直に背面部５１ｂが設けられたが、背面部５１ｂは、鉛直方向から傾くように設けられても良い。また、背もたれ５２は、背面部５１ｂの前面を略覆うような広さを有していたが、背面部５１ｂの広さはこれに限られない。たとえば、少なくとも開口５１ｇを覆う広さで背面部５１ｂが形成されても良い。
【００９２】
この他、本発明の実施の形態は、特許請求の範囲に示された技術的思想の範囲内において、適宜、種々の変更が可能である。
【符号の説明】
【００９３】
１  …  便座装置（フィルム密封式便座装置）
３０  …  フィルムユニット
４０  …  支持体
５１  …  座面枠
５１ａ  …  水平部（便座部）
５１ｂ  …  背面部
５１ｇ  …  開口（第２の開口）
５２  …  背もたれ（背もたれ部材）
５５  …  便座（便座部）
５５ｃ  …  開口（第１の開口）
５５ｄ  …  拡張部
Ｆ  …  フィルム
Ｒ  …  円弧部
【図１】
2015195880.tif 000003
【図２】
2015195880.tif 000004
【図３】
2015195880.tif 000005
【図４】
2015195880.tif 000006
【図５】
2015195880.tif 000007
【図６】
2015195880.tif 000008
【図７】
2015195880.tif 000009
【図８】
2015195880.tif 000010
【図９】
2015195880.tif 000011
【図１０】
2015195880.tif 000012
【図１１】
2015195880.tif 000013
【図１２】
2015195880.tif 000014
【図１３】
2015195880.tif 000015
【図１４】
2015195880.tif 000016